【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
物理ブロードキャスト・チャネル（ＰＢＣＨ）を受信することと、
前記ＰＢＣＨにおける第１の１つまたは複数のビットに基づいて、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定することと、を備える方法。
【請求項２】
基地局（ＢＳ）によるワイヤレス通信のための方法であって、
物理ブロードキャスト・チャネル（ＰＢＣＨ）を送信することと、
前記ＰＢＣＨにおける第１の１つまたは複数のビットを介して、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示することと、を備える方法。
【請求項３】
前記第１のタイプのアプリケーションは、マシン・タイプ通信（ＭＴＣ）アプリケーションを備え、
前記第２のタイプのアプリケーションは、非ＭＴＣアプリケーションを備える、請求項１または２に記載の方法。
【請求項４】
前記第１の１つまたは複数のビットは１ビットを備え、ここにおいて、ビット値の異なる組み合わせは、ＭＴＣまたは非ＭＴＣを指示する、請求項３に記載の方法。
【請求項５】
前記第１の１つまたは複数のビットは少なくとも２ビットを備え、ここにおいて、ビット値の異なる組み合わせは、カバレッジ・エンハンスメントなしのＭＴＣ、カバレッジ・エンハンスメントを有するＭＴＣ、カバレッジ・エンハンスメントなしの非ＭＴＣ、またはカバレッジ・エンハンスメントを有する非ＭＴＣ、を指示する、請求項３に記載の方法。
【請求項６】
前記第１の１つまたは複数のビットのうちの１つまたは複数のビットは、前記第２の１つまたは複数のビットのうちの１つまたは複数のビットの目的を指示するサービス・インジケータを備える、請求項１または２に記載の方法。
【請求項７】
前記第１の１つまたは複数のビットの第１のビットは、ＭＴＣインジケータを備え、
前記第１の１つまたは複数のビットの第２のビットは、カバレッジ・エンハンスメント（ＣＥ）インジケータを備え、特に、
前記ＭＴＣおよびＣＥインジケータの値の第１の組み合わせは、前記第２の１つまたは複数のビットが保留されていることを指示し、
前記ＭＴＣおよびＣＥインジケータの値の第２の組み合わせは、前記第２の１つまたは複数のビットがシステム情報ブロック（ＳＩＢ）の時間周波数ポジション、前記ＳＩＢのトランスポート・ブロック・サイズ、制御フォーマット・インジケータ（ＣＦＩ）のうちの少なくとも１つを指示するために使用されることを指示する、請求項１または２に記載の方法。
【請求項８】
ワイヤレス通信のための装置であって、
物理ブロードキャスト・チャネル（ＰＢＣＨ）を受信するための手段と、
前記ＰＢＣＨにおける第１の１つまたは複数のビットに基づいて、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定するための手段と、
を備える装置。
【請求項９】
ワイヤレス通信のための装置であって、
物理ブロードキャスト・チャネル（ＰＢＣＨ）を送信するための手段と、
前記ＰＢＣＨにおける第１の１つまたは複数のビットを介して、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示するための手段と、を備える装置。
【請求項１０】
前記第１のタイプのアプリケーションは、マシン・タイプ通信（ＭＴＣ）アプリケーションを備え、
前記第２のタイプのアプリケーションは、非ＭＴＣアプリケーションを備える、請求項８または９に記載の装置。
【請求項１１】
前記第１の１つまたは複数のビットは１ビットを備え、ここにおいて、ビット値の異なる組み合わせは、ＭＴＣまたは非ＭＴＣを指示する、請求項１０に記載の装置。
【請求項１２】
前記第１の１つまたは複数のビットは少なくとも２ビットを備え、ここにおいて、ビット値の異なる組み合わせカバレッジ・エンハンスメントなしのＭＴＣ、カバレッジ・エンハンスメントを有するＭＴＣ、カバレッジ・エンハンスメントなしの非ＭＴＣ、またはカバレッジ・エンハンスメントを有する非ＭＴＣ、を指示する、請求項１０に記載の装置。
【請求項１３】
前記第１の１つまたは複数のビットのうちの１つまたは複数のビットは、前記第２の１つまたは複数のビットのうちの１つまたは複数のビットの目的を指示するサービス・インジケータを備える、請求項８または９に記載の装置。
【請求項１４】
前記第１の１つまたは複数のビットの第１のビットは、ＭＴＣインジケータを備え、前記第１の１つまたは複数のビットの第２のビットは、カバレッジ・エンハンスメント（ＣＥ）インジケータを備え、特に、
前記ＭＴＣおよびＣＥインジケータの値の第１の組み合わせは、前記第２の１つまたは複数のビットが保留されていることを指示し、
前記ＭＴＣおよびＣＥインジケータの値の第２の組み合わせは、前記第２の１つまたは複数のビットがシステム情報ブロック（ＳＩＢ）の時間周波数ポジション、前記ＳＩＢのトランスポート・ブロック・サイズ、制御フォーマット・インジケータ（ＣＦＩ）のうちの少なくとも１つを指示するために使用されることを指示する、請求項８または９に記載の装置。
【請求項１５】
コンピュータプログラムであって、プロセッサ上で実行されるとき、前記方法請求項１乃至７のいずれかの前記ステップを実行するためのコンピュータ実行可能コードを備えるコンピュータプログラム。
【手続補正２】
【補正対象書類名】明細書
【補正対象項目名】００８４
【補正方法】変更
【補正の内容】
【００８４】
[0086]  本開示の先の説明は、当業者が本開示を製造または使用することを可能にするために提供される。本開示に対するさまざまな修正は、当業者に容易に明らかであり、本書に定義されている包括的な原理は、本開示の精神または範囲から逸脱せずに、他のバリエーションに適用され得る。かくして、本開示は、本書において説明された例および設計に限定されるよう意図されず、本書で開示された原理および新規の特徴と一致する最も幅広い範囲が付与されるべきである。
以下に本願の出願当初の特許請求の範囲に記載された発明を付記する。
［Ｃ１］
ユーザ機器（ＵＥ）によるワイヤレス通信のための方法であって、
物理ブロードキャスト・チャネル（ＰＢＣＨ）を受信することと、
前記ＰＢＣＨにおける第１の１つまたは複数のビットに基づいて、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定することと、を備える方法。
［Ｃ２］
前記第１のタイプのアプリケーションは、マシン・タイプ通信（ＭＴＣ）アプリケーションを備え、
前記第２のタイプのアプリケーションは、非ＭＴＣアプリケーションを備える、請求項１に記載の方法。
［Ｃ３］
前記第１の１つまたは複数のビットは１ビットを備え、ここにおいて、ビット値の異なる組み合わせは、ＭＴＣまたは非ＭＴＣを指示する、請求項２に記載の方法。
［Ｃ４］
前記第１の１つまたは複数のビットは少なくとも２ビットを備え、ここにおいて、ビット値の異なる組み合わせは、カバレッジ・エンハンスメントなしのＭＴＣ、カバレッジ・エンハンスメントを有するＭＴＣ、カバレッジ・エンハンスメントなしの非ＭＴＣ、またはカバレッジ・エンハンスメントを有する非ＭＴＣ、を指示する、請求項２に記載の方法。［Ｃ５］
前記第１の１つまたは複数のビットのうちの１つまたは複数のビットは、前記第２の１つまたは複数のビットのうちの１つまたは複数のビットの目的を指示するサービス・インジケータを備える、請求項１に記載の方法。
［Ｃ６］
前記第１の１つまたは複数のビットの第１のビットは、マシン・タイプ通信（ＭＴＣ）インジケータを備え、
前記第１の１つまたは複数のビットの第２のビットは、カバレッジ・エンハンスメント（ＣＥ）インジケータを備える、請求項１に記載の方法。
［Ｃ７］
前記ＭＴＣおよびＣＥインジケータの値の第１の組み合わせは、前記第２の１つまたは複数のビットが保留されていることを指示し、
前記ＭＴＣおよびＣＥインジケータの値の第２の組み合わせは、前記第２の１つまたは複数のビットがシステム情報ブロック（ＳＩＢ）の時間周波数ポジション、前記ＳＩＢのトランスポート・ブロック・サイズ、制御フォーマット・インジケータ（ＣＦＩ）のうちの少なくとも１つを指示するために使用されることを指示する、請求項６に記載の方法。［Ｃ８］
基地局（ＢＳ）によるワイヤレス通信のための方法であって、
物理ブロードキャスト・チャネル（ＰＢＣＨ）を送信することと、
前記ＰＢＣＨにおける第１の１つまたは複数のビットを介して、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示することと、を備える方法。
［Ｃ９］
前記第１のタイプのアプリケーションは、マシン・タイプ通信（ＭＴＣ）アプリケーションを備え、
前記第２のタイプのアプリケーションは、非ＭＴＣアプリケーションを備える、請求項８に記載の方法。
［Ｃ１０］
前記第１の１つまたは複数のビットは１ビットを備え、ここにおいて、ビット値の異なる組み合わせは、ＭＴＣまたは非ＭＴＣを指示する、請求項９に記載の方法。
［Ｃ１１］
前記第１の１つまたは複数のビットは少なくとも２ビットを備え、ここにおいて、ビット値の異なる組み合わせは、カバレッジ・エンハンスメントなしのＭＴＣ、カバレッジ・エンハンスメントを有するＭＴＣ、カバレッジ・エンハンスメントなしの非ＭＴＣ、またはカバレッジ・エンハンスメントを有する非ＭＴＣ、を指示する、請求項９に記載の方法。［Ｃ１２］
前記第１の１つまたは複数のビットのうちの１つまたは複数のビットは、前記第２の１つまたは複数のビットのうちの１つまたは複数のビットの目的を指示するサービス・インジケータを備える、請求項８に記載の方法。
［Ｃ１３］
前記第１の１つまたは複数のビットの第１のビットは、ＭＴＣインジケータを備え、
前記第１の１つまたは複数のビットの第２のビットは、カバレッジ・エンハンスメント（ＣＥ）インジケータを備える、請求項８に記載の方法。
［Ｃ１４］
前記ＭＴＣおよびＣＥインジケータの値の第１の組み合わせは、前記第２の１つまたは複数のビットが保留されていることを指示し、
前記ＭＴＣおよびＣＥインジケータの値の第２の組み合わせは、前記第２の１つまたは複数のビットがシステム情報ブロック（ＳＩＢ）の時間周波数ポジション、前記ＳＩＢのトランスポート・ブロック・サイズ、制御フォーマット・インジケータ（ＣＦＩ）のうちの少なくとも１つを指示するために使用されることを指示する、請求項１３に記載の方法。［Ｃ１５］
ワイヤレス通信のための装置であって、
物理ブロードキャスト・チャネル（ＰＢＣＨ）を受信するための手段と、
前記ＰＢＣＨにおける第１の１つまたは複数のビットに基づいて、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定するための手段と、
を備える装置。
［Ｃ１６］
前記第１のタイプのアプリケーションは、マシン・タイプ通信（ＭＴＣ）アプリケーションを備え、
前記第２のタイプのアプリケーションは、非ＭＴＣアプリケーションを備える、請求項１５に記載の装置。
［Ｃ１７］
前記第１の１つまたは複数のビットは１ビットを備え、ここにおいて、ビット値の異なる組み合わせは、ＭＴＣまたは非ＭＴＣを指示する、請求項１６に記載の装置。
［Ｃ１８］
前記第１の１つまたは複数のビットは少なくとも２ビットを備え、ここにおいて、ビット値の異なる組み合わせは、カバレッジ・エンハンスメントなしのＭＴＣ、カバレッジ・エンハンスメントを有するＭＴＣ、カバレッジ・エンハンスメントなしの非ＭＴＣ、またはカバレッジ・エンハンスメントを有する非ＭＴＣ、を指示する、請求項１６に記載の装置。
［Ｃ１９］
前記第１の１つまたは複数のビットのうちの１つまたは複数のビットは、前記第２の１つまたは複数のビットのうちの１つまたは複数のビットの目的を指示するサービス・インジケータを備える、請求項１５に記載の装置。
［Ｃ２０］
前記第１の１つまたは複数のビットの第１のビットは、ＭＴＣインジケータを備え、前記第１の１つまたは複数のビットの第２のビットは、カバレッジ・エンハンスメント（ＣＥ）インジケータを備える、請求項１５に記載の装置。
［Ｃ２１］
前記ＭＴＣおよびＣＥインジケータの値の第１の組み合わせは、前記第２の１つまたは複数のビットが保留されていることを指示し、
前記ＭＴＣおよびＣＥインジケータの値の第２の組み合わせは、前記第２の１つまたは複数のビットがシステム情報ブロック（ＳＩＢ）の時間周波数ポジション、前記ＳＩＢのトランスポート・ブロック・サイズ、制御フォーマット・インジケータ（ＣＦＩ）のうちの少なくとも１つを指示するために使用されることを指示する、請求項２０に記載の装置。
［Ｃ２２］
ワイヤレス通信のための装置であって、
物理ブロードキャスト・チャネル（ＰＢＣＨ）を送信するための手段と、
前記ＰＢＣＨにおける第１の１つまたは複数のビットを介して、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示するための手段と、を備える装置。
［Ｃ２３］
前記第１のタイプのアプリケーションは、マシン・タイプ通信（ＭＴＣ）アプリケーションを備え、
前記第２のタイプのアプリケーションは、非ＭＴＣアプリケーションを備える、請求項２２に記載の装置。
［Ｃ２４］
前記第１の１つまたは複数のビットは１ビットを備え、ここにおいて、ビット値の異なる組み合わせは、ＭＴＣまたは非ＭＴＣを指示する、請求項２３に記載の装置。
［Ｃ２５］
前記第１の１つまたは複数のビットは少なくとも２ビットを備え、ここにおいて、ビット値の異なる組み合わせカバレッジ・エンハンスメントなしのＭＴＣ、カバレッジ・エンハンスメントを有するＭＴＣ、カバレッジ・エンハンスメントなしの非ＭＴＣ、またはカバレッジ・エンハンスメントを有する非ＭＴＣ、を指示する、請求項２３に記載の装置。
［Ｃ２６］
前記第１の１つまたは複数のビットのうちの１つまたは複数のビットは、前記第２の１つまたは複数のビットのうちの１つまたは複数のビットの目的を指示するサービス・インジケータを備える、請求項２２に記載の装置。
［Ｃ２７］
前記第１の１つまたは複数のビットの第１のビットは、ＭＴＣインジケータを備え、前記第１の１つまたは複数のビットの第２のビットは、カバレッジ・エンハンスメント（ＣＥ）インジケータを備える、請求項２２に記載の装置。
［Ｃ２８］
前記ＭＴＣおよびＣＥインジケータの値の第１の組み合わせは、前記第２の１つまたは複数のビットが保留されていることを指示し、
前記ＭＴＣおよびＣＥインジケータの値の第２の組み合わせは、前記第２の１つまたは複数のビットがシステム情報ブロック（ＳＩＢ）の時間周波数ポジション、前記ＳＩＢのトランスポート・ブロック・サイズ、制御フォーマット・インジケータ（ＣＦＩ）のうちの少なくとも１つを指示するために使用されることを指示する、請求項２７に記載の装置。
［Ｃ２９］
ワイヤレス通信のための装置であって、
物理ブロードキャスト・チャネル（ＰＢＣＨ）を受信するように構成されている受信機と、
前記ＰＢＣＨにおける第１の１つまたは複数のビットに基づいて、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定するように構成されている少なくとも１つのプロセッサと、
前記少なくとも１つのプロセッサに結合されたメモリと、
を備える装置。
［Ｃ３０］
ワイヤレス通信のための装置であって、
物理ブロードキャスト・チャネル（ＰＢＣＨ）を送信するように構成されている送信機と、
前記ＰＢＣＨにおける第１の１つまたは複数のビットを介して、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示するように構成されている少なくとも１つのプロセッサと、
前記少なくとも１つのプロセッサに結合されたメモリと、
を備える装置。
［Ｃ３１］
ユーザ機器（ＵＥ）によるワイヤレス通信のためのコンピュータ可読媒体であって、前記コンピュータ可読媒体は、記憶されたコンピュータ実行可能コードを有しており、
物理ブロードキャスト・チャネル（ＰＢＣＨ）を受信するためのコードと、
前記ＰＢＣＨにおける第１の１つまたは複数のビットに基づいて、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定するためのコードと、
を備えるコンピュータ可読媒体。
［Ｃ３２］
基地局（ＢＳ）によるワイヤレス通信のためのコンピュータ可読媒体であって、前記コンピュータ可読媒体は、記憶されたコンピュータ実行可能コードを有しており、
物理ブロードキャスト・チャネル（ＰＢＣＨ）を送信するためのコードと、
前記ＰＢＣＨにおける第１の１つまたは複数のビットを介して、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示するためのコードと、
を備えるコンピュータ可読媒体。